(57)【要約】  本発明は自転車（１）用の電動駆動装置（２）に関する。電動駆動装置は、ドライブシャフト（８）を有する電動モータ（５）と、自転車（１）の車輪駆動装置（４）に連結するための作動ギヤ（１１）と回転固定に連結されたドリブンシャフト（６）と、ドライブシャフト（８）とドリブンシャフト（６）とを駆動連結するトランスミッション（７）と、を備える。トランスミッションは、回転駆動方向に回転固定にドリブンシャフト（６）と連結された被動ホイール（１２）と、被動ホイール（１２）を駆動するために、該被動ホイール（１２）に周方向（１６）にオフセットした状態でそれぞれ係合する、第１出力ギヤ（１４）及び第２出力ギヤ（１５）の少なくとも２つの出力ギヤと、出力ギヤ（１４，１５）に電動モータ（５）の動力を分散する動力分散機構（１７）と、を有する。【選択図】図１
2020520852.tif 000002
【特許請求の範囲】
【請求項１】
自転車（１）用の電動駆動装置（２）であって、
ドライブシャフト（８）を有する電動モータ（５）と、
前記自転車（１）の車輪駆動装置（４）に連結するための作動ギヤ（１１）と回転固定に連結されたドリブンシャフト（６）と、
前記ドライブシャフト（８）と前記ドリブンシャフト（６）とを駆動連結するトランスミッション（７）と、を備え、
前記トランスミッション（７）は、
前記ドリブンシャフト（６）に、回転駆動方向に回転固定に連結された被動ホイール（１２）と、
前記被動ホイール（１２）を駆動するために、該被動ホイール（１２）に、互いに周方向（１６）にオフセットした状態で係合する第１出力ギヤ（１４）及び第２出力ギヤ（１５）の少なくとも２つの出力ギヤと、
前記出力ギヤ（１４，１５）に前記電動モータ（５）の動力を分散する動力分散機構（１７）と、
を有することを特徴とする電動駆動装置（２）。
【請求項２】
請求項１に記載の電動駆動装置（２）において、
前記トランスミッション（７）は、入力側で前記ドライブシャフト（８）と接続されかつ出力側で動力分散機構（１７）を介して前記出力ギヤ（１４，１５）に接続される遊星トランスミッション（２０）を有することを特徴とする電動駆動装置（２）。
【請求項３】
請求項１又は２に記載の電動駆動装置（２）において、
前記第１出力ギヤ（１４）が回転する第１回転軸（３３）及び前記第２出力ギヤ（１５）が回転する第２回転軸（３４）は、前記トランスミッション（７）の内側に定位置で配置されていることを特徴とする電動駆動装置（２）。
【請求項４】
請求項１〜３のいずれか１つに記載の電動駆動装置（２）において、
前記第１出力ギヤ（１４）が回転する第１回転軸（３３）及び前記第２出力ギヤ（１５）が回転する第２回転軸（３４）は、幾何的に、前記ドリブンシャフト（６）が回転する出力軸（１０）と前記ドライブシャフト（８）が回転する入力軸（９）との間に配置されていることを特徴とする電動駆動装置（２）。
【請求項５】
請求項１〜４のいずれか１つに記載の電動駆動装置（２）において、
前記トランスミッション（７）は、サンギヤ（２１）と、少なくとも２つのプラネットギヤ（２２）と、プラネットキャリア（２３）と、リングギヤ（２４）とを有する遊星トランスミッション（２０）を有し、
前記リングギヤ（２４）は、前記第１出力ギヤ（１４）と回転固定に連結されていることを特徴とする電動駆動装置（２）。
【請求項６】
請求項５に記載の電動駆動装置（２）において、
前記プラネットキャリア（２３）は、前記第２出力ギヤ（１５）に係合される中間ギヤ（２５）と回転固定に連結されていることを特徴とする電動駆動装置（２）。
【請求項７】
請求項５又は６に記載の電動駆動装置（２）において、
前記サンギヤ（２１）は、入力ホイール（２７）と回転固定に連結されるサンシャフト（２６）と回転固定に連結され、
前記ドライブシャフト（８）は、入力ギヤ（２７）に係合される駆動ギヤ（２８）と回転固定に連結されていることを特徴とする電動駆動装置（２）。
【請求項８】
請求項１〜７のいずれか１つに記載の電動駆動装置（２）において、
前記出力ギヤ（１４，１５）は、プラスチックギヤであることを特徴とする電動駆動装置（２）。
【請求項９】
請求項１〜８のいずれか１つに記載の電動駆動装置（２）において、
被動ギヤ（１２）は、該被動ギヤ（１２）から前記ドリブンシャフト（６）に回転駆動方向（１３）のトルクを伝達しかつ前記被動ギヤと前記ドリブンシャフト（６）との間での、回転駆動方向（１３）に対する反回転駆動方向（３１）の相対回転を可能にするフリーホイールアセンブリ（３１）を介して前記ドリブンシャフト（６）に結合されていることを特徴とする電動駆動装置（２）。
【請求項１０】
請求項１〜９のいずれか１つに記載の電動駆動装置（２）において、
前記ドリブンシャフト（６）は、中空シャフトで構成されるとともに、ペダルシャフト（３）が同軸に挿通されており、
前記ペダルシャフト（３）は、回転駆動方向（１３）と回転固定に前記ドリブンシャフト（６）と連結されていることを特徴とする電動駆動装置（２）。
【請求項１１】
請求項１０に記載の電動駆動装置（２）において、
前記ペダルシャフト（３）は、該ペダルシャフト（３）から前記ドリブンシャフト（６）に回転駆動方向（１３）のトルクを伝達しかつ前記ペダルシャフト（３）と前記ドリブンシャフト（６）との間での、回転駆動方向（１３）に対する反回転駆動方向（３１）の相対回転を可能にするフリーホイールアセンブリ（３２）を介して前記ドリブンシャフト（６）に結合されていることを特徴とする電動駆動装置（２）。
【請求項１２】
請求項１〜１１のいずれか１つに記載の電動駆動装置（２）において、
前記ドライブシャフト（８）は、入力軸（９）回りに回転し、
前記ドリブンシャフト（６）は、出力軸（１０）回りに回転し、
前記入力軸（９）は、前記出力軸（１０）と平行に延びているとともに、該出力軸（１０）に対して径方向に離間して配置されていることを特徴とする電動駆動装置（２）。
【請求項１３】
請求項１〜１２のいずれか１つに記載の電動駆動装置（２）において、
前記出力ギヤ（１４，１５）は、幾何的に、前記ドライブシャフト（８）と前記ドリブンシャフト（６）との間に配置されていることを特徴とする電動駆動装置（２）。
【請求項１４】
自転車（１）であって、
ペダルシャフト（３）と、
駆動輪を駆動させるための車輪駆動装置（４）と、
請求項１〜１３のいずれか１つに記載の電動駆動装置（２）と、を備えることを特徴とする自転車（１）。
【請求項１５】
請求項１４に記載の自転車（１）において、
前記出力ギヤ（１４，１５）は、前記自転車（１）が地面の上に起立した状態又は地面の上を移動している状態において、前記ドリブンシャフト（６）の地面側とは反対側に配置されていることを特徴とする自転車（１）。
【請求項１６】
請求項１４又は１５に記載の自転車（１）において、
前記トランスミッション（７）は、前記自転車（１）が地面の上に起立した状態又は地面の上を移動している状態において、前記被動ギヤ（１２）とは離間して、前記ドリブンシャフト（６）の上側に配置されていることを特徴とする自転車（１）。
【発明の詳細な説明】
【技術分野】
【０００１】
本発明は、自転車用の電動駆動装置又は補助駆動装置、並びに、電動駆動装置又は補助駆動装置を備えた自転車に関する。
【背景技術】
【０００２】
電動駆動装置を備えた自転車は一般的に「ｅバイク」として知られている。電動駆動装置は、唯一の駆動装置、すなわちメイン駆動装置として機能するだけでなく、好ましくは補助駆動装置として機能する。本明細書において、「駆動装置（ｄｒｉｖｅ）」の語は、メイン駆動装置及び補助駆動装置と理解される。電動駆動装置が補助駆動装置である場合、電動モータは、各自転車の乗員による動力をサポートする。所謂「ｐｅｄｅｌｅｃ（電動アシスト自転車）」の場合、そのような駆動のサポートのみが行われる。ｐｅｄｅｌｅｃの場合、自転車の乗員による動力なしには、該自転車の電動モータの動力は供給されない。このような駆動装置がメイン駆動装置として設けられている場合、自転車は電動駆動装置のみを介して駆動することが可能である。本明細書において、「自転車」の語は、二輪車のみでなく、三輪車や四輪車としても理解される。
【０００３】
このような電動駆動装置は、通常、ドライブシャフトを有する電動モータを備えている。作動ギヤと回転固定に連結されたドリブンシャフトが更に設けられる。作動ギヤは、自転車のチェーン式駆動装置、ベルト式駆動装置、又はその他の自転車の車輪駆動装置と結合するための機能を有する。車輪駆動装置は、後輪のような自転車の駆動輪を駆動するための機能を有する。言い換えると、組み付けられた状態で、作動ギヤは、チェーンやベルトやその他のカップリングを介して、自転車の後輪と駆動連結されている。電動駆動装置は、ドライブシャフトとドリブンシャフトとを駆動連結するトランスミッションを更に備える。これにより、電動モータの比較的高速の動作が、ドリブンシャフトの比較的低速の動作に減速される。すなわち、同時に、電動モータの補助と共に供給されるトルクが増加するようになる。トランスミッションは、例えば、ドリブンシャフトと回転駆動方向に回転固定に連結された被動ギヤを有する。トランスミッションの「ホイール」は、好ましくはギヤホイールである。
【発明の概要】
【発明が解決しようとする課題】
【０００４】
電動駆動装置がペダルシャフトの部分に配置されている場合、自転車の地上高に悪景況を及ぼさないように、被動ギヤの直径が制限される。したがって、この被動ギヤには比較的高いトルクが与えられる必要がある。このために、トランスミッションは、例えば、被動ギヤと係合する出力ギヤを有する。従来の電動駆動装置の場合、被動ギヤと出力ギヤとは大きな動力を伝達するために金属製である必要がある。金属製ホイールは、比較的高価でかつ運転中の騒音問題を引き起こす。
【０００５】
本発明は、前述の電動駆動装置又はそれらを備えた自転車の改善された形態を提供するという課題を扱う。これは、特に費用効果の高い生産性及び／又は騒音の低減により特徴づけられる。
【課題を解決するための手段】
【０００６】
前記課題は、独立請求項の主題に係る発明によって解決される。有利な実施形態は従属項の主題である。
【０００７】
本発明は、被動ギヤを駆動する機能を有し、この目的のために、被動ギヤとそれぞれ個別に係合する少なくとも２つの出力ギヤを有するトランスミッションを備えるという思想に基づいている。この目的のために、少なくとも２つの出力ギヤは、被動ギヤの周上に、互いに該周方向にオフセットした状態でそれぞれ配置される。電動モータの動力を少なくとも２つの出力ギヤに分散する動力分散機構は、トランスミッションにより実現される。この手段は、被動ギヤに全体として与えられるトルクが、少なくとも２つの係合点、すなわち少なくとも２つの出力ギヤの係合点に分散されるという結果をもたらす。これにより、被動ギヤの負荷及び各出力ギヤの負荷は、それぞれの係合で十分に低減される。ちょうど２つの出力ギヤに均一に動力を分散するときには、トルクは各係合点で半分になる。少なくとも２つの出力ギヤ、以下、「第１の出力ギヤ」及び「第２の出力ギヤ」と呼ばれる２つの出力ギヤは、動力の一部を被動ギヤにそれぞれ個別に導入する。各係合点におけるトルクは十分に低減されるため、出力ギヤ及び被動ギヤの少なくとも一方をプラスチック製にすることができる。これにより、製造コストを削減することができる。さらに、ノイズが発生するリスクが低減される。
【０００８】
有利には、トランスミッションの内側に、第１出力ギヤが回転する第１回転軸と、第２出力ギヤが回転する第２回転軸と、が定位置で配置されるということが考えられる。これにより、コンパクトな設計を容易に実現することができる。
【０００９】
第１出力ギヤが回転する第１回転軸と、第２出力ギヤが回転する第２回転軸とが、幾何的に、ドリブンシャフトが回転する出力軸と、ドライブシャフトが回転する入力軸との間に配置されている場合には、特に有利な実施形態になる。第１に、これにより、コンパクトな設計がサポートされる。他にも、これにより、駆動領域における自転車の地面高を増やすことができる。組み付け状態において、駆動装置は、自転車が地面に対して起立したり移動したりするときには、基本的に自転車のペダルシャフトの上側に配置される。この組み付け状態において、ドリブンシャフトは、ペダルシャフトの領域に位置するとともに、駆動装置の最低領域を形成する。すなわち、出力ギヤは、組み付け状態において、ドリブンシャフトよりも上側でかつドライブシャフトよりも下側に位置する。
【００１０】
特に有利な実施形態によると、トランスミッションは遊星トランスミッションである。この遊星トランスミッションは、例えば、入力側において、対応する歯や変速用歯車を介してドライブシャフトに結合されているとともに、出力側において、動力分散機構を介して出力ギヤに結合されている。このとき、動力分散機構は、最終的に、出力ギヤ及び遊星トランスミッションの出力側により形成されるか、遊星トランスミッションの出力側への出力ギヤの接続により形成される。
【００１１】
このような遊星トランスミッションは、サンギヤと、少なくとも２つのプラネットギヤと、プラネットキャリアと、リングギヤとを有する、サンギヤ及びリングギヤは、通常、プラネットキャリアに支持されたプラネットギヤを介して互いに駆動連結されている。このような遊星トランスミッションは、極めてコンパクトな設計及び大きな動力伝達により特徴づけられる。遊星トランスミッション内において、遊星トランスミッションの入力側を形成するサンギヤは、プラネットキャリア上及び／又はリングギヤ上のプラネットギヤを介して内部動力分散を行う。出力側の遊星トランスミッションの動力を出力ギヤに分散するという課題において、動力分散に加えて内部動力分散が供給される。これにより、遊星トランスミッションの出力側は、プラネットキャリア及びリングギヤの少なくとも一方により形成される。
【００１２】
言い換えれると、ここで説明した出力ギヤに動力を分散する動力分散機構は、遊星トランスミッション内に形成される動力分散機構に加えて存在する。
【００１３】
リングギヤが第１出力ギヤと回転固定に連結されている場合には有利な実施形態となる。これにより、サンギヤは電動モータを介して駆動される。このとき、リングギヤは、十分に減らしたスピードでもって第１出力ギヤを駆動する。
【００１４】
プラネットギヤが、第２出力ギヤと係合する中間ギヤと回転固定に連結されている場合には、更に有利である。この実施形態の場合、サンギヤが回転するときに回転するプラネットキャリアが、第２出力ギヤを駆動するために利用される。これにより、トランスミッションの動力分散が遊星トランスミッションの内部で実行される。そのため、２つの出力ギヤの回転方向をそろえるために中間ギヤが必要となる。２つの出力ギヤの動力分散の比率は、中間ギヤの直径や歯の数といった寸法、及び、結果として、第２出力ギヤの寸法を介して調整される。これにより、２つの出力ギヤがそれぞれ駆動力の５０％を被動ギヤに伝達するように、１：１の比率の出力分散が優先される。
【００１５】
他にも、サンギヤが、入力ギヤと回転固定に連結されたサンシャフトと回転固定に連結されるという更なる展開が提案される。同様に、電動モータの駆動軸は、入力ギヤと係合する駆動ギヤに連結される。駆動気やと入力気やとの係合は、有利には、平歯車トランスミッションとして構成される。平歯車トランスミッションの場合、２つのホイールは、それぞれの歯を介して、互いに径方向に係合している。被動ギヤと２つの出力ギヤとの係合も、平歯車トランスミッションとして構成される場合に有利になる。第２出力ギヤは、中間ギヤとも平歯車トランスミッションを構成し得る。
【００１６】
特に有利な実施形態によると、出力ギヤはプラスチックギヤであり得る。これに加えて又はこれに代えて、被動ギヤはプラスチックギヤであり得る。このとき、繊維強化プラスチックを使用できることは明らかである。
【００１７】
有利には、被動ギヤは、該被動ギヤからドリブンシャフトに回転駆動方向のトルクを伝達しかつ被動ギヤとドリブンシャフトとの間での、回転駆動方向に対する反回転駆動方向の相対回転を可能にするフリーホイールアセンブリを介してドリブンシャフトに結合され得る。すなわち、ドリブンシャフトは、被動ギヤより速く回転駆動方向に回転することができるようになる。
【００１８】
その他、ドリブンシャフトが、中空シャフトで構成されるとともに、ペダルシャフトに同軸に挿通されているという実施形態が提案される。すなわち、自転車に組み付けられた状態では、このペダルシャフトは、その長手方向の各端部にそれぞれペダルクランクを備えており、各ペダルクランクはペダルを支持している。これにより、自転車の乗員は、ペダル、ペダルクランク、及びペダルシャフトを介して、自分の駆動力を入力することができる。この目的のために、ペダルシャフトは、回転駆動方向に回転固定にドリブンシャフトと連結される。
【００１９】
好ましくは、ペダルシャフトは、該ペダルシャフトからドリブンシャフトに回転駆動方向のトルクを伝達しかつペダルシャフトとドリブンシャフトとの間での、回転駆動方向に対する反回転駆動方向の相対回転を可能にするフリーホイールアセンブリを介してドリブンシャフトに結合されている。このフリーホイールアセンブリの手助けにより、ドリブンシャフトは、ペダルシャフトよりも速く回転駆動方向に回転することができるようになる。同様に、ペダルシャフトは、ドリブンシャフトの回転方向とは反対向きの回転方向に回転され得る。
【００２０】
他にも、ドライブシャフトが入力軸回りに回転する一方で、ドリブンシャフトが出力軸回りに回転するという実施形態が提案される、これにより、電動モータとドリブンシャフトとの配置は、入力軸が出力軸に対して平行に延びる一方で、入力軸と出力軸との径方向の距離が十分に維持されるように設計される。自転車の組み付け状態に基づいて、特に電動モータは、ドライブシャフト上、すなわち、自転車が地面の上に起立した状態において、ドリブンシャフトの地面側とは反対側に配置される。
【００２１】
本明細書において、「シャフト（ｓｈａｆｔ）」は、物理的な構成要素と理解される一方で、「軸（ａｘｉｓ）」は、仮想的な直線と理解される。回転シャフトの場合は、対応する回転軸はシャフトの中心軸と一致する。
【００２２】
有利には、出力ギヤは、幾何的に、ドライブシャフトとドリブンシャフトとの間に配置されている。被動ギヤとは離間して、トランスミッションはドリブンシャフトの上側にのみ構築されるため、自転車の地上高に有利になる。
【００２３】
本発明に係る自転車は、少なくとも１つの前輪及び少なくとも１つの後輪に加えて、ペダルシャフトと、例えば、チェーン式駆動装置やベルト式駆動装置のような車輪駆動装置と、電動駆動装置と、を備える。これにより、ペダルシャフトも、駆動装置の構造体積に属するようになる。車輪駆動装置は、後輪のような、自転車の駆動輪を駆動する機能を有する。
【００２４】
出力ギヤが、自転車が地面の上に起立した状態又は地面の上を移動している状態において、ドリブンシャフトの地面側とは反対側に配置されている場合には、好ましい設計となる。これにより、自転車は、駆動装置の領域における地面高を増やすことができる。
【００２５】
トランスミッションが、自転車が地面の上に起立した状態又は地面の上を移動している状態において、被動ギヤとは離間して、ドリブンシャフトの上側に配置されている場合には、特に有利な設計となる。
【００２６】
本発明のさらに重要な特徴及び効果は、従属クレームと、図面と、図面に基づく図面の説明とから得られる。
【００２７】
前述及び後述の特徴は、本発明の範囲から逸脱しない範囲で、前述の各組み合わせだけでなく、他の組み合わせ又は単独でも用いることができると理解されたい。
【図面の簡単な説明】
【００２８】
【図１】電動駆動装置の概略図である。
【図２】駆動装置の等角図である。
【図３】図２とは異なる視点で見た、駆動装置の等角図である。
【図４】図２及び図３とは異なる視点で見た、駆動装置の等角図である。
【発明を実施するための形態】
【００２９】
本発明の好ましい例示的実施形態は、図面に示され、以下の記載において詳細に説明される。ここで、同一の符号は、同一、類似、又は機能的に同一の構成要素に関する。
【００３０】
図１は、自転車１の電動駆動装置２の領域のみを示す。自転車１は、ペダルシャフト３及び車輪駆動装置４を備える。車輪駆動装置４は、好ましくは、チェーン式駆動装置４、又は、ベルト式駆動装置４で構成される。車輪駆動装置４は、あらゆるものが考えられる。車輪駆動装置４は、自転車１における不図示の駆動輪を駆動させる機能を有する。駆動輪は、好ましくは自転車１の後輪である。自転車１は、前述の電動駆動装置２を更に備える。自転車１が完全に組み立てられた状態で、駆動装置２の構造体積の一部であるペダルシャフト３は、その長手方向の各端部において、不図示のペダルをそれぞれ有する不図示のペダルクランクと回転固定にそれぞれ連結されている。
【００３１】
図１〜図４によると、電動駆動装置２は、電動モータ５と、ドリブンシャフト６と、トランスミッション７とを有する。電動モータ５は、入力軸９回りに回転するドライブシャフト８を有する。ドリブンシャフト６は、出力軸１０回りに回転するとともに、作動ギヤ１１と回転固定に連結されている。作動ギヤ１１は、好ましくはギヤホイールである。駆動装置２は、作動ギヤ１１を介して、車輪駆動装置４、特に、チェーン式駆動装置４、ベルト式駆動装置４、その他のあらゆる車輪駆動装置４のそれぞれに連結されている。
【００３２】
トランスミッション７は、好ましくはギヤホイールである被動ギヤ１２を備える。被動ギヤ１２は、出力シャフト６に対して、矢印で示す回転駆動方向１３に回転固定に連結されている。被動ギヤ１２は第３回転軸３５回りに回転する。第３回転軸３５は、ドリブンシャフト６の出力軸１０と一致する。トランスミッション７は、好ましくはそれぞれギヤホイールで構成された少なくとも２つの出力ギヤである第１出力ギヤ１４及び第２出力ギヤ１５を更に備える。他の実施形態では、２つ以上の出力ギヤ１４，１５が存在し得る。各出力ギヤ１４，１５は、被動ギヤ１２と係合していて、被動ギヤ１２を駆動する機能を有する。これにより、２つの出力ギヤ１４，１５は、図２に矢印で示す被動ギヤ１２の周方向１６において、互いにオフセットして配置されている。これにより、第１出力ギヤ１４は第１回転軸３３回りに回転する一方、第２出力ギヤ１５は第２回転軸３４回りに回転する。これらの回転軸３３，３４は定位置である。すなわち、２つの回転軸３３，２４は、トランスミッション７の内側に定位置で配置されている。言い換えると、２つの回転軸３３，３４は、駆動装置２の作動中でも、トランスミッション７の内側における空間的な位置が変わらない。トランスミッション７は動力分散機構１７を備える。動力分散機構１７は、電動モータ５の駆動力を出力ギヤ１４，１５に分散することができる。
【００３３】
図２を参照すると、２つの出力ギヤ１４，１５が、それぞれ、周方向１６に互いに間隔を空けて被動ギヤ１２とどのように係合しているかをよく見ることができる。これにより、各係合点における負荷は十分に低減される。第１出力ギヤ１４と被動ギヤ１２との間の第１係合点は符号１８で特定されており、第２出力ギヤ１５と被動ギヤ１２との間の第２係合点は符号１９で特定されている。第１出力ギヤ１４と被動ギヤ１２との間の第１係合点１８は、概略化された図１において直接見ることができる。対照的に、第２出力ギヤ１５と被動ギヤ１２との間の第２係合点１９は、この概略図からは直接見ることはできないため、破線により示唆される作動接続により象徴化して示されている。
【００３４】
更に図２を参照すると、出力ギヤ１４，１５は、幾何的に、ドライブシャフト８とドリブンシャフト６との間に配置されていることを見ることができる。駆動装置２が組み付けられた状態において、ドライブシャフト８は、自転車１が地面の上に起立したとき又は地面の上を移動しているときに、ドリブンシャフト６の地面側とは反対側に位置している。すなわち、トランミッション７における被動ギヤ１２から離れた部分は、ドリブンシャフト６の上側に位置する。
【００３５】
この好ましい例示の場合、トランスミッション７は遊星トランスミッション２０を有する。この遊星トランスミッション２０は、サンギヤ２１と、少なくとも２つのプラネットギヤ２２と、プラネットキャリア２３と、リングギヤ２４とを有する。全てのギヤは、好ましくはギヤホイールである。サンギヤ２１は、リングギヤ２４と同軸に配置されていて、プラネットギヤ２２を介してリングギヤ２４に駆動連結されている。プラネットギヤ２２は、径方向の内側でサンギヤ２１と係合しかつ径方向の外側でリングギヤ２４と係合している。本実施形態では、４つのプラネットギヤ２２が設けられている。
【００３６】
サンギヤ２４は、第１出力ギヤ１４と回転固定に連結されている。この結果、サンギヤ２４は、第１出力ギヤ１４を介して被動ギヤ１２を駆動する。ここで、プラネットキャリア２３は、中間ギヤ２５と回転固定に接続されている。この中間ギヤ２５は、第２出力ギヤ１５と係合している。すなわち、プラネットギヤ２３も、中間ギヤ２５及び第２出力ギヤ１５を介して被動ギヤ１２を駆動する。動力分散機構１７は、有利には、電動モータ５の駆動力が２つの出力ギヤ１４，１５に均等に分散されるように設計されている。このため、中間ギヤ２５は、２つの出力ギヤ１４，１５の回転方向の同期と速度の同期とが生じるように、直径及び歯の数が選択される。
【００３７】
サンギヤ２１は、有利には、サンシャフト２６と回転固定に連結される。サンシャフト２６は、入力ギヤ２７と回転固定に連結される。入力ギヤ２７は、好ましくはギヤホイールである。電動モータ５のドライブシャフト８は、駆動ギヤ２８と回転固定に連結されている。駆動ギヤ２８は入力ギヤ２７と係合している。サンシャフト２６は、遊星トランスミッション２０のサン軸２９と同軸に延びている。サン軸２９は、入力軸９及び出力軸１０と平行に延びている。
【００３８】
係合点１８，１９の機械的負荷が低減されることで、有利な実施形態において、２つの出力ギヤ１４、１５及び／又は被動ギヤ１２をプラスチックギヤで構成することが可能となる。
【００３９】
有利には、被動ギヤ１２は、フリーホイールアセンブリ３０を介してドリブンシャフト６に連結される。このフリーホイールアセンブリ３０は、回転駆動方向１３に被動ギヤ１２からドリブンシャフト６にトルクを伝達する。対照的に、フリーホイールアセンブリ３０は、図２の矢印で示す、回転駆動方向１３とは反対向きの反回転方向３１において、被駆動ギヤ１２とドリブンシャフト６との間の相対回転を可能にする。例えば、ドリブンシャフト６が回転駆動方向１３に回転する一方で、被動ギヤ１２を停止させたり、ドリブンシャフト６よりも遅い速度で回転駆動方向１３に回転させたりすることができる。
【００４０】
有利には、ドリブンシャフト６は、中空シャフトで構成されるとともに、ペダルシャフト３に同軸に挿通される。ペダルシャフト３は、ドリブンシャフト６に対して回転駆動方向１３に回転固定に連結される。有利には、ペダルシャフト３は、更なるフリーホイールアセンブリ３２を介してドリブンシャフト６に連結されている。更なるフリーホイールアセンブリ３２は、被動ギヤ１２とドリブンシャフト６との間における前述のフリーホイールアセンブリ３０と同じように作動する。更なるフリーホイールアセンブリ３２は、回転駆動方向１３にペダルシャフト３からドリブンシャフト６にトルクを伝達する一方で、反回転駆動方向３１におけるペダルシャフト３とドリブンシャフト６との間の相対回転を可能にする。これにより、ドリブンシャフト６が回転駆動方向１３に回転する一方で、ペダルシャフト３を停止させたり、反回転方向３１に回転させたり、ドリブンシャフト６よりも遅い速度で回転駆動方向１３に回転させたりすることができる。
【００４１】
有利には、入力軸９と出力軸１０とは、互いに平行に延びているだけでなく、互いに径方向に離間している。サン軸２９も、入力軸９及び出力軸１０と平行に延びている。特にサン軸９は、幾何的に、入力軸９と出力軸１０との間で延びている。図２に集約するように、入力軸９、出力軸１０、及びサン軸２９は、好ましくは共通の平面上に延びる。さらに、電動モータ５とトランスミッション７との配置は、出力ギヤ１４，１５が、幾何的に、ドライブシャフト８とドリブンシャフト６との間に位置するようにすることができる。組み付け状態において、出力ギヤ１４，１５はドリブンシャフト６の上側に位置する。電動モータ５は、ドリブンシャフト６の上側に位置しているが、ドライブシャフト８を駆動する。これにより、ドライブシャフト８は、有利には、電動モータ５の内部ロータの一部となる。
【図１】
2020520852.tif 000003
【図２】
2020520852.tif 000004
【図３】
2020520852.tif 000005
【図４】
2020520852.tif 000006
【国際調査報告】
2020520852.tif 000007
2020520852.tif 000008
2020520852.tif 000009
2020520852.tif 000010